(57)【要約】【課題】軟質樹脂と硬質樹脂とを連設してヒンジでつないで一体のケースを形成する電子機器の外装ケースにおいて、部材を増やすことなくファインダ接眼部の目の保護、めがねの保護を図る。【解決手段】軟質樹脂１１と硬質樹脂１２とを連設して一体の外装ケース１を形成する電子機器の外装ケース１において、硬質樹脂１１中に設けタファインダの接眼部３４の周囲に軟質樹脂１１を配設したこ一体構造の外装ケースである。【選択図】　　　　図１
2004012487.tif 000002
【特許請求の範囲】
【請求項１】
軟質樹脂と硬質樹脂とを連設して一体のケースを形成してなる電子機器の外装ケースにおいて、硬質樹脂中に設けタファインダの接眼部周囲に軟質樹脂を配設したことを特徴とするファインダの接眼部構造。
【発明の詳細な説明】
【０００１】
【発明の属する技術分野】
本発明は、ファインダの接眼部構造に関する。さらに詳しくは、軟質樹脂と硬質樹脂とを連設して一体のケースを形成してなる電子機器の外装ケースにおいて、ファインダ接眼部の保護構造に係る技術である。
【０００２】
【従来の技術】
電子機器の外装は、外郭ケースとしての所要強度を有し、操作容易な操作機能を備え、優れた意匠性を有するデザイン処理を施されていること等の各種の要件が必要とされる。従来の電子機器の外装は、通常、フロント側、リア側のキャビネットに分かれており、それぞれ必要な個々の部品で外装ケースを形成し、これをビス止め、溶着、接着等の手段によって組み立てて固定される構造となっている。このような外装構造では、各種の部品をリア側のキャビネットに配設したものが知られている。
【０００３】
一方、フロント側、リア側のキャビネットをヒンジで繋いで全体を一体成形したキャビネット構造も知られている。ヒンジ付き一体成型のキャビネットは部品点数を削減するために、開発されたものである。
【０００４】
特開平７−４０９６０号公報には、本体部と蓋部とが一体成形されたプラスチック容器の本体部と蓋部とのヒンジ構造が開示されている。このような技術は、電子機器の外装ケースにおいても、フロント側、リア側のキャビネットをヒンジで繋いで全体を展開した形状とした一体成形キャビネット構造に適用することができる。すなわち、電子機器の外装ケースフロント側、リア側のキャビネットをヒンジで結合した形式のキャビネットを一体成型し、ヒンジの部分で折り曲げて表裏一体のケースを形成する。このようなヒンジ付き一体成型のキャビネットにおいては、従来、部品を予めキャビネットに一体化しているものはない。
【０００５】
【発明が解決しようとする課題】
上述のように、部品点数を減らすことにより、部品費の削減、工数の削減をはかり、従来技術に対しコストダウンをはかった外装構造として、軟質樹脂と硬質樹脂とを連設して一体のケースを形成してなる電子機器の外装ケースがある。
【０００６】
本発明はこのような電子機器の外装ケースにおいて、ファインダ周辺部に軟質樹脂を配設することにより、部材を増やすことなくファインダ接眼部の目の保護、めがねの保護を図る技術を提供することを目的とするものである。
【０００７】
【課題を解決するための手段】
本発明は、上記問題点を解決するためになされたもので、その技術手段は、軟質樹脂と硬質樹脂とを連設して一体のケースを形成してなる電子機器の外装ケースにおいて、硬質樹脂中に設けタファインダの接眼部周囲に軟質樹脂を配設したことを特徴とするファインダの接眼部構造である。
【０００８】
【発明の実施の形態】
電子機器の外装において、キャビネット、操作ボタン等を硬質樹脂と軟質樹脂の２色成形を使って一体に形成することによって部品点数を低減し、組立工数を削減しコストダウンに寄与する外装構造がある。本発明はこのような外装構造において、ファインダ接眼部を保護する外装構造を提供する。
【０００９】
硬質樹脂としては、例えば、ＡＢＳ樹脂やポリカーボネート樹脂等を用いることができ、一方、軟質樹脂としては、例えば、エラストマー樹脂を用いることができる。このような硬質樹脂と軟質樹脂とを外装ケースのそれぞれの部分の機能に合わせて各部に配設し、これらを連設して一体に成形する。樹脂を色分けして２色成形としてもよい。機能に応じて、強度が必要な部分は硬質樹脂を用い、折り曲げ部、操作部材、緩衝部、滑り止め部等は軟質樹脂にて構成するとよい。折り曲げ部や操作部等の動く部分は、軟質樹脂を局部的に薄肉化して形成すると好適である。このような一体成型品は、箱形状のケースを展開した形状に製作する。このような形状の金型を製作し、これを用いて成形すればよい。成形した状態でその中に収納される内容物を組み込み、折り曲げ部を内側にたたみ込み、ケース（箱）状に形成する。
【００１０】
ファインダの接眼部は硬質樹脂中に配設されるが、このファインダ接眼部の周辺部に軟質樹脂を配設することにより、部品数を増加することなく、軟質樹脂の特性を利用して、ファインダ接眼部の目の保護、めがねの保護を達成することができる。
【００１１】
以下図面を参照して本発明の実施の形態を説明する。図１は実施例の外装ケース１を展開して一体成形した状態を示す斜視図である。図中、ハッチングを施して示した部分は軟質樹脂１１を示し、ハッチングのない部分は硬質樹脂１２を示している。図の中間部４０に設けた軟質樹脂ヒンジ折り曲げ部１３、１４を折り曲げると、図の上半分はケースのフロント部２０となり、下半分はリア部３０となる。フロント部２０とリア部３０に跨って配置されている軟質樹脂１１で形成されている部分は、電子機器を手で保持するグリップ部を形成し、軟質樹脂１１はすべり止め効果を奏する。また、この部分は美感を与えるデザイン的な形状、色彩に形成する。フロント部には、操作部材２１、デザイン２２が設けられ、軟質樹脂を配設してある。
【００１２】
リア部３０には、操作部材３１、３２、３３が軟質樹脂で形成されており、ファインダ接眼部３４が軟質樹脂１１で形成されている。図２はこのファインダ接眼部３４の断面図である。硬質樹脂１２の基板孔の内周に、軟質樹脂１１が、なめらかな外形形状に盛り上げられて外部に露出している。このような材質、形状により、意匠的な美感を与えると共に接眼部の目の保護、めがねの保護を図ることができる。
【００１３】
本発明では電子機器の外装ケースを、硬質樹脂と軟質樹脂の２色成形で一体のケース展開形状に成形し、フロント部とリア部をつなぐ軟質樹脂のヒンジ形状を設け、このヒンジを折りたたむことによって、ケースを形成する。軟質樹脂にて操作ボタンや滑り止め部、デザイン的形状を一体成形する。このように外装ケースに操作部材、デザイン部材を設け、部品点数の削減、工数の削減をはかり、コストダウンに寄与することができる。このような外装ケース構造において、軟質樹脂をファインダ接眼部周辺に配設し、デザイン性の向上及び目やめがねの保護等の機能性の向上を図ることができる。
【００１４】
【発明の効果】
本発明によれば、硬質樹脂と軟質樹脂を配設した一体のケース展開形状を成形し、軟質樹脂のヒンジ形状を設けて折りたたむと共に、軟質樹脂にて操作ボタンや滑り止め部、デザイン的形状を一体成形することにより、部品点数の削減、組立工数の節減を図り、コストダウンに寄与するような外装構造において、ファインダの周辺に軟質樹脂を配設することにより、部材をふやすことなく、軟質樹脂の特性を利用してデザイン性を高め、かつ目やめがねの保護を完全に行うことができる。
【図面の簡単な説明】
【図１】実施例の外装ケースの斜視図である。
【図２】ファインダ接眼部の断面図である。
【符号の説明】
１　　外装ケース
１１　　軟質樹脂
１２　　硬質樹脂
１３、１４　　ヒンジ折曲げ部
２０　　フロント部
２１　　操作部材
２２　　デザイン形状
３０　　リア部
３１、３２、３３　　操作部材
３４　　ファインダ接眼部
４０　　中間部
【図１】
2004012487.tif 000003
【図２】
2004012487.tif 000004